(57)【要約】【課題】電線にかかる衝撃力を抑制する。【解決手段】本明細書によって開示される電線カバー部材は、電線Ｗが後方に引き出されたコネクタ５０に装着される電線カバー部材１０であって、コネクタ５０から後方に引き出された電線Ｗが挿通される電線挿通部２２を有する一対の半割カバー２０と、電線Ｗに固定された状態で、僅かなクリアランスを有しつつ電線挿通部２２内に収容される合成樹脂製の固定部４０と、前後方向に弾性収縮可能に形成され、固定部４０が前方から当接可能な状態で電線挿通部２２内に保持されたコルゲートチューブ３０とを備える構成とした。【選択図】図５
2017033851.tif 000002
【特許請求の範囲】
【請求項１】
電線が後方に引き出されたコネクタに装着される電線カバー部材であって、
前記コネクタから後方に引き出された前記電線が挿通される電線挿通部と、
前記電線に固定された状態で、前記電線の挿通方向に変位可能に前記電線挿通部内に収容された合成樹脂製の固定部と、
前記電線の挿通方向に弾性収縮可能に形成され、前記固定部が前方から当接可能な状態で前記電線挿通部内に保持された付勢部材とを備える電線カバー部材。
【請求項２】
前記付勢部材は、前記電線の延び方向に開口した形態で前記電線を全周に亘って覆う筒状に形成されており、
前記固定部は、前記付勢部材の開口縁部に全周に亘って当接する請求項１に記載の電線カバー部材。
【請求項３】
前記付勢部材は、前記電線挿通部から導出される前記電線を全周に亘って覆って保護する筒状のコルゲートチューブであり、
前記コルゲートチューブは、前記電線挿通部内に設けられた保持突起によって前記電線の挿通方向に係止されている請求項１または請求項２に記載の電線カバー部材。
【発明の詳細な説明】
【技術分野】
【０００１】
本明細書によって開示される技術は、コネクタに装着される電線カバー部材に関する。
【背景技術】
【０００２】
従来、電線の端末に設けられたコネクタに装着される電線カバー部材として、特開平１１−６７３２９（下記特許文献１）に記載のものが知られている。この電線カバー部材は、コネクタから引き出される電線に沿うように二分割される一対のハーフカバーと、ハーフカバー内に装着される弾性保持部とを備えて構成されている。電線カバー部材は、コネクタにおいて電線が引き出される電線引出部を一対のハーフカバーによって両側から挟み込むことでコネクタに装着されるようになっている。
【０００３】
弾性保持部は、ゴム材からなり、ハーフカバーによってコネクタを両側から挟み込むと、コネクタから引き出された電線が弾性保持部によって弾性力をもって挟み込まれる。これにより、電線を伝う振動や電線を引っ張る引っ張り力が弾性保持部によって吸収され、電線の端末に接続された端子への振動が伝わりや電線に加わる引っ張り力が抑制されるようになっている。
【先行技術文献】
【特許文献】
【０００４】
【特許文献１】特開平１１−６７３２９号公報
【発明の概要】
【発明が解決しようとする課題】
【０００５】
ところで、上記のコネクタによると、電線をゴム材からなる弾性保持部によって挟み込んでいるため、電線に対して強い引っ張り力が加わると、弾性保持部内で電線が滑るようにして電線が引っ張れてしまい、電線に対して強い衝撃力が加わることで、電線と端子との接続部分に不具合が生じる虞がある。
【０００６】
本明細書では、電線にかかる衝撃力を抑制する技術を開示する。
【課題を解決するための手段】
【０００７】
本明細書によって開示される技術は、電線が後方に引き出されたコネクタに装着される電線カバー部材であって、前記コネクタから後方に引き出された前記電線が挿通される電線挿通部と、前記電線に固定された状態で、前記電線の挿通方向に変位可能に前記電線挿通部内に収容された合成樹脂製の固定部と、前記電線の挿通方向に弾性収縮可能に形成され、前記固定部が前方から当接可能な状態で前記電線挿通部内に保持された付勢部材とを備える構成とした。
【０００８】
このような構成の電線カバー部材によると、電線が強く引っ張られて強い力が加わる際に、電線に固定された合成樹脂製の固定部が付勢部材に前方から当接し前方に向けて付勢され、引っ張り力が付勢部材によって吸収されるから、例えば、固定部材がゴム製の場合に比べて、電線に対して固定部がずれてしまうことを抑制しつつ、電線に加わる衝撃力を抑制することができる。
【０００９】
本明細書によって開示される電線カバー部材は、以下の構成としてもよい。
前記付勢部材は、前記電線の延び方向に開口した形態で前記電線を全周に亘って覆う筒状に形成されており、前記固定部は、前記付勢部材の開口縁部に全周に亘って当接する構成としてもよい。
このような構成によると、電線を全周に亘って覆う付勢部材に対して固定部が全周に亘って当接するから、電線に加わる衝撃を全周に亘って均等に吸収することができる。これにより、固定部が付勢部材に偏って当接する場合に比べて、電線に加わる衝撃が一部に集中することを防ぐことができる。
【００１０】
前記付勢部材は、前記電線挿通部から導出される前記電線を全周に亘って覆って保護する筒状のコルゲートチューブであり、前記コルゲートチューブは、前記電線挿通部内に設けられた保持突起によって前記電線の挿通方向に係止されている構成としてもよい。
【００１１】
このような構成によると、電線挿通部に設けられた保持突起によって係止固定されたコルゲートチューブによって固定部を付勢することができる。つまり、電線を保護するコルゲートチューブを、固定部材を付勢する付勢部材として兼用することができるから、電線挿通部内に別途付勢部材を設ける場合に比べて、部品点数が増加することを防ぐことができると共に、電線挿通部が大型化することを防ぐことができる。
【発明の効果】
【００１２】
本明細書によって開示される技術によれば、電線にかかる衝撃力を抑制することができる。
【図面の簡単な説明】
【００１３】
【図１】電線カバー部材をコネクタに装着した状態を示す平面図
【図２】同側面図
【図３】電線カバー部材をコネクタに装着した状態の一部破断断面図
【図４】電線カバー部材をコネクタに装着した状態の縦断面図
【図５】電線が後方に引っ張られた状態を示す図４の断面に相当する縦断面図
【発明を実施するための形態】
【００１４】
＜実施形態＞
本明細書に開示された技術における一実施形態について図１から図５を参照して説明する。
本実施形態は、コネクタ５０に装着される電線カバー部材１０を例示している。なお、以下の説明において、上下方向とは、図１および図４における上下方向を基準とする。また、前後方向とは、図１および図２における前後方向を基準として、図示左方を前方、図示右方を後方として説明する。
【００１５】
まず、コネクタ５０について説明する。コネクタ５０は、図４および図５に示すように、合成樹脂製のハウジング５１と、電線Ｗの端末に接続された状態でハウジング５１内に保持された複数の雌端子６０とを備えて構成されている。
【００１６】
各雌端子６０は、前後に長い箱形状の接続部６１の後方に電線固定部６２が設けられた形態とされている。接続部６１内には、図示しないタブ状の雄端子が前方から挿入可能とされており、接続部６１内に雄端子が挿入されることで雄端子と接続部６１とが電気的に接続される。一方、電線固定部６２は、電線Ｗの端末において露出された芯線Ｗ１に圧着されたワイヤバレル６３と、電線Ｗに外嵌されたゴム栓Ｇ１に圧着されたインシュレーションバレル６４とが前後に連なった形態をなしており、ワイヤバレル６３が芯線Ｗ１に圧着されることで、雌端子６０が電線Ｗに電気的に接続固定され、インシュレーションバレル６４がゴム栓Ｇ１に圧着されることで、ゴム栓Ｇ１が雌端子６０と共に電線Ｗの端末に固定されている。
【００１７】
ハウジング５１は、図４および図５に示すように、雌端子６０が収容される端子収容部５２の外側を前方に開口するフード部５３で覆った形態とされている。
【００１８】
端子収容部５２は、フード部５３の奥壁５４からフード部５３の前端開口よりもやや後方の位置まで真っ直ぐ延びるタワー状に形成されており、端子収容部５２の外周には、ゴムリングＧ２が装着されている。端子収容部５２内には、雌端子６０が横方向に複数（本実施形態では３つ）並んで挿入されており、端子収容部５２内に収容された各雌端子６０は、接続部６１の上部に設けられた被係止突起６５が端子収容部５２内に片持ち状に設けられた弾性変位可能なランス５５によって後方から係止されることで、後方への抜け止めが図られている。また、端子収容部５２には、前方からフロントキャップ７０が装着されており、フロントキャップ７０に設けられた規制片７１がランス５５の撓み空間Ｓに進入することで、ランス５５が弾性変位することが規制され、雌端子６０が二重に係止されている。
【００１９】
フード部５３は、端子収容部５２の外側を全周に亘って覆う形態とされており、フード部５３の上部には、図示しない相手側コネクタに係止することで相手側コネクタとコネクタ５０とを嵌合状態に保持するロックアーム５６が設けられている。
【００２０】
フード部５３の後部には、端子収容部５２内の各雌端子６０に接続された電線Ｗを後方に引き出す電線引出部５７が設けられている。電線引出部５７内には、電線Ｗに外嵌されたゴム栓Ｇ１が収容されており、ゴム栓Ｇ１が電線引出部５７の内周面に密着することで、電線引出部５７から端子収容部５２内に水などが浸入することを防いでいる。
【００２１】
次に、電線カバー部材１０について説明する。電線カバー部材１０は、図１に示すように、電線Ｗの引き出し方向である前後方向に沿って分割可能な合成樹脂製の一対の半割カバー２０と、電線Ｗを覆った状態で一対の半割カバー２０に固定される合成樹脂製のコルゲートチューブ３０とを備えて構成されている。
【００２２】
一対の半割カバー２０は、互いに組み付けた状態では、図１および図３に示すように、前方に向かうほど横方向両側に向けて拡幅する箱形状の拡幅部２１の後方に角筒状の電線挿通部２２が連なった形態とされており、コネクタ５０における電線引出部５７に装着可能とされている。
【００２３】
各半割カバー２０の拡幅部２１における上下面のうちの一方の面には、図２に示すように、係合突起２３が突設されており、他方の面には上下方向外側に向かって弾性変位する係合片２４が設けられている。係合片２４には、係合突起２３が嵌まり込み可能な係合孔２５が設けられており、一対の半割カバー２０を互いに組み付けると、図１に示すように、一方の半割カバー２０における係合突起２３が他方の半割カバー２０における係合片２４の係合孔２５に嵌まり込こみ横方向に係止することで一対の半割カバー２０が互いに組み付けられた状態に保持されるようになっている。
【００２４】
また、各半割カバー２０における電線挿通部２２の上下面にも、図２に示すように、拡幅部２１と同様に、一方の面に係合突起２３が突設されると共に、他方の面に上下方向外側に向かって弾性変位する係合片２４が設けられており、一対の半割カバー２０を互いに組み付けて、係合突起２３と係合片２４とを横方向に係止させることで、一対の半割カバー２０を互いに組み付けられた状態に保持するようになっている。
【００２５】
また、電線挿通部２２における係合突起２３は、図２、図４および図５に示すように、半割カバー２０の上下面のうち拡幅部２１の係合突起２３が形成された面とは異なる面に形成されており、一対の半割カバー２０を互いに組み付けると、拡幅部２１と電線挿通部２２とでは、係合片２４および係合突起２３の配置が上下逆になるように設定されている。
【００２６】
詳細には、拡幅部２１は、図１および図３に示すように、一対の半割カバー２０を互いに組み付けることで箱形状に構成されるようになっており、拡幅部２１の横方向両側端部には、前方に向けて延出された一対の係止片２６が形成されている。一対の係止片２６は、上下方向に延びる平板状に形成されており、一対の係止片２６の先端には、内側に向かって突出する係止爪２７が設けられている。この係止爪２７は、電線引出部５７の横方向両側の側面５７Ａに凹設された一対の被係止凹部５８に幅方向両側から嵌合可能とされており、一対の半割カバー２０を互いに組み付ける際に、係止爪２７を被係止凹部５８内に嵌合させることで、電線引出部５７に対して一対の半割カバー２０が脱落しないように固定される。
【００２７】
電線挿通部２２は、図３から図５に示すように、拡幅部２１内に開口すると共に後方に開口した形態とされている。電線挿通部２２内には、電線引出部５７から後方に引き出された複数の電線Ｗが前後方向に一括して挿通可能とされており、電線Ｗを横方向両側から挟み込むようにして一対の半割カバー２０を互いに組み付けることで、電線引出部５７から後方に引き出された複数の電線Ｗが電線挿通部２２内に挿通されるようになっている。
【００２８】
電線挿通部２２の後部には、図３から図５に示すように、コルゲートチューブ３０を固定するチューブ固定部２８が設けられている。チューブ固定部２８は、電線挿通部２２の内周壁２２Ａから電線挿通部２２内に向けて全周に亘って突出する断面略三角状の保持突起２９を複数条（本実施形態では２条）有しており、各保持突起２９は、前後方向に間隔を空けて配されている。
【００２９】
コルゲートチューブ３０は、図３から図５に示すように、電線挿通部２２から後方に引き出された複数の電線Ｗを一括して覆う略円筒状をなしており、外周面に溝状に凹んだ溝部３１が前後方向に間隔を空けて複数条周設された蛇腹状に形成されている。前後方向に隣り合う溝部３１間の間隔は、電線挿通部２２のチューブ固定部２８における保持突起２９の前後方向の間隔と同一とされており、溝部３１内には、チューブ固定部２８の保持突起２９が全周に亘って嵌合可能とされている。つまり、コルゲートチューブ３０の端末における溝部３１にチューブ固定部２８における保持突起２９を凹凸嵌合させ、一対の半割カバー２０を互いに組み付けて固定することで、コルゲートチューブ３０が電線挿通部２２からから後方に引き出された状態で一対の半割カバー２０に固定されるようになっている。
【００３０】
また、コルゲートチューブ３０は、図５に示すように、電線挿通部２２内においてチューブ固定部２８よりもやや前方の位置から収容されており、電線挿通部２２から後方から引き出されたコルゲートチューブ３０は、各電線Ｗが外部にむき出しにならないように保護している。
【００３１】
また、コルゲートチューブ３０は、図３から図５に示すように、溝部３１を前後方向に潰すように変形させることで電線Ｗの挿通方向である前後方向に弾性収縮可能とされており、各溝部３１を前後方向に変形させることで、電線Ｗが配索される任意の方向にコルゲートチューブ３０を屈曲させることができるようになっている。
【００３２】
さて、電線カバー部材１０は、電線Ｗに固定された状態で一対の半割カバー２０の電線挿通部２２内に収容される合成樹脂製の固定部４０を有している。
【００３３】
固定部４０は、前後方向にやや厚みのある略矩形平板状の一対の半割プレート４１の端面を互いに付き合わせて構成されるものであって、固定部４０の外周形状は、電線挿通部２２の内周形状に沿った形態とされている。各半割プレート４１の突き合わせ面には、電線Ｗが圧入気味に嵌合される凹部４２が形成されている。凹部４２は、横方向に長い形態とされており、図３から図５に示すように、凹部４２の上下方向の寸法は、電線Ｗの外径寸法よりもやや小さい寸法に設定され、凹部４２の横方向の寸法は、電線引出部５７から引き出される複数の電線Ｗの外径寸法を全て合わせた寸法よりもやや小さい寸法に設定されている。
【００３４】
したがって、電線Ｗを凹部４２内に圧入気味に嵌合させ、一対の半割プレート４１の突き合わせ面を互いに突き合わせて固定部４０を構成すると、各電線Ｗの被覆Ｗ２に半割プレート４１の凹部４２の角部４２Ａが食い込むと共に、複数の電線Ｗが一括して固定部４０に囲まれた状態となって、固定部４０が電線Ｗに強固に固定される。
【００３５】
また、固定部４０は、図３および図４に示すように、電線引出部５７から引き出された電線Ｗに余長を持たせた状態で電線挿通部２２内におけるコルゲートチューブ３０の前方に収容されており、拡幅部２１の後端部に設けられた前止まり部２１Ａによって前止まりされている。
【００３６】
前止まり部２１Ａは、拡幅部２１の内面から拡幅部２１内に向かって突出した形態とされており、前止まり部２１Ａが固定部４０の外周縁部に対して前方から全周に亘って当接することで固定部４０を電線挿通部２２内に抜け止めしている。
【００３７】
また、固定部４０が電線挿通部２２内に収容されると、図３および図４に示すように、固定部４０の外周端面４０Ａと電線挿通部２２の内周壁２２Ａとの間に僅かなクリアランスを有した状態となると共に、固定部４０がコルゲートチューブ３０の前端開口縁部３０Ａに対して前方から全周に亘って当接した状態となる。つまり、固定部４０は、前止まり部２１Ａとコルゲートチューブ３０とによって前後から挟まれた状態で電線挿通部２２内に収容されている。
【００３８】
本実施形態は、以上のような構成であって、続いて、電線カバー部材１０の組み立ておよびコネクタ５０への装着手順を簡単に説明すると共に、電線カバー部材１０の作用および効果について説明する。
【００３９】
複数の電線Ｗが後方に引き出されたコネクタ５０に電線カバー部材１０を装着する際には、まず、固定部４０の一対の半割プレート４１における凹部４２に電線Ｗを嵌合させ、一対の半割プレート４１を互いに突き合わせて固定部４０を構成する。ここで、固定部４０が構成されると、電線Ｗの被覆Ｗ２に半割プレート４１の凹部４２の角部４２Ａが食い込んだ状態となり、固定部４０が電線Ｗに強固に固定される。
【００４０】
電線Ｗに固定部４０が固定されたところで、固定部４０と複数の電線Ｗと複数の電線Ｗを一括して覆うコルゲートチューブ３０の端末とを横方向両側から挟み込むようにして一対の半割カバー２０を互いに組み付ける。
【００４１】
この一対の半割カバー２０の組み付け過程では、コルゲートチューブ３０の溝部３１にチューブ固定部２８における保持突起２９を凹凸嵌合させると共に、固定部４０を電線挿通部内に収容する。そして、一対の半割カバー２０が互いに組み付けられると、拡幅部２１および電線挿通部２２の係合突起２３と係合片２４とが横方向に係止することで一対の半割カバー２０が互いに組み付けられた状態に保持される。また、一対の半割カバー２０が互いに組み付けられた状態に保持されると、コルゲートチューブ３０が電線挿通部２２に固定されると共に、固定部４０が前止まり部２１Ａとコルゲートチューブ３０とによって前後から挟まれた状態で電線挿通部２２内に収容される。
【００４２】
また、一対の半割カバー２０を互いに組み付ける過程において、拡幅部２１における一対の係止片２６の係止爪２７を電線引出部５７の被係止凹部５８内に嵌合させることで、一対の半割カバー２０が電線引出部５７に固定され、電線カバー部材１０がコネクタ５０に装着される。
【００４３】
ところで、電線カバー部材１０が装着されたコネクタ５０において、電線カバー部材１０から後方に引き出された電線Ｗに対して後方に向けて強い引っ張り力が加わると、電線Ｗに対して強い衝撃力が加わることで、電線Ｗと雌端子６０の電線固定部６２との接続部分に不具合が生じることが懸念される。
【００４４】
ところが、本実施形態によると、電線Ｗに対して強い引っ張り力が加わると、電線Ｗの被覆Ｗ２に食い込むようにして強固に固定された固定部４０が電線挿通部２２内において後方に変位し、固定部４０がコルゲートチューブ３０の前端開口縁部３０Ａに前方から押し付けられる。すると、電線挿通部２２内においてチューブ固定部２８よりも前方に配されたコルゲートチューブ３０が溝部３１を潰すようにして弾性収縮することで、固定部４０の外周縁部が全周に亘って前方に向けて付勢される。つまり、コルゲートチューブ３０が固定部４０の外周縁部を前方に向けて均等に付勢することで、電線Ｗに加わる引っ張り力が電線Ｗの外周部分において均等に吸収され、電線Ｗに加わる衝撃力を抑制することができる。これにより、電線Ｗに対して強い衝撃力が加わることで、電線Ｗと雌端子６０の電線固定部６２との接続部分に不具合が生じることを防ぐことができる。
【００４５】
以上のように、本実施形態によると、各電線Ｗに対して固定部４０を食い込むようにして強固に固定し、電線Ｗに強固に固定された固定部４０を、電線Ｗを保護するコルゲートチューブ３０によって前方に付勢することができる。すなわち、電線Ｗを保護するコルゲートチューブ３０を、固定部４０を付勢する付勢部材として兼用することができるから、コルゲートチューブ３０に加えて別途付勢部材を設ける場合に比べて、部品点数が増加することを防ぐと共に、電線挿通部２２が大型化することを防ぎつつ、電線Ｗに加わる衝撃力を抑制することができる。また、合成樹脂製の固定部４０が電線Ｗに食い込むようにして固定されているから、電線Ｗに対して固定部４０が滑ってずれてしまうことを防ぐことができる。
【００４６】
また、本実施形態によると、複数の電線Ｗを全周に亘って取り囲む固定部４０の外周縁部がコルゲートチューブ３０の前端開口縁部３０Ａによって全周に亘って前方に向けて付勢されるから、例えば、固定部４０の外周縁部のうちの一部が前方に付勢される場合に比べて、固定部４０の外周縁部を均等に付勢でき、各電線Ｗに加わる引っ張り力を均等に吸収することができる。これにより、電線Ｗに加わる衝撃力がそれぞれの電線Ｗにほぼ均等に分散され、一部の電線Ｗに引っ張り力が集中することを抑制することができる。
【００４７】
＜他の実施形態＞
本明細書で開示される技術は上記記述及び図面によって説明した実施形態に限定されるものではなく、例えば次のような種々の態様も含まれる。
（１）上記実施形態では、固定部４０を板状に構成した。しかしながら、これに限らず、固定部は、前後方向に厚肉なブロック状に構成されてもよい。
（２）上記実施形態では、固定部４０をコルゲートチューブ３０によって前方に付勢するに構成とした。しかしながら、これに限らず、電線挿通部２２内に固定部４０を前方に付勢する付勢部材を別途設けてもよい。
【００４８】
（３）上記実施形態では、外周面に溝部３１を有する蛇腹状にコルゲートチューブ３０を構成した。しかしながら、これに限らず、コルゲートチューブは前後方向に収縮し、固定部４０を前方に付勢可能であれば、コルゲートチューブの外周面に溝部を有さない構成であってもよい。
（４）上記実施形態では、雌端子６０がハウジング５１内に収容されたコネクタ５０に電線カバー部材１０が装着される構成とした。しかしながら、これに限らず、雄端子がハウジングに収容された雄コネクタに本明細書で開示した電線カバー部材を適用してもよい。
【符号の説明】
【００４９】
１０：電線カバー部材
２２：電線挿通部
２９：保持突起
３０：コルゲートチューブ（付勢部材）
４０：固定部
５０：コネクタ
Ｗ：電線
【図１】
2017033851.tif 000003
【図２】
2017033851.tif 000004
【図３】
2017033851.tif 000005
【図４】
2017033851.tif 000006
【図５】
2017033851.tif 000007